(57)【特許請求の範囲】
【請求項１】
被検眼の角膜に気体を吹き付けることによって眼圧を測定する眼圧測定部と、
前記被検眼を撮影し、当該被検眼の画像を取得する画像取得部と、
眼圧測定の直前に取得された画像である判断画像を用いて、当該眼圧測定の開始後に前記被検眼の瞼の外縁を特定する瞼特定部と、
前記瞼特定部が特定した瞼の外縁を用いて、前記気体が吹き付けられる領域の中心から瞼の外縁までの距離である瞼距離が大きいほど信憑性が高くなるように、前記眼圧測定部が測定した眼圧の信憑性に関する情報である信憑情報を生成する信憑情報生成部と、
前記信憑情報を出力する信憑情報出力部と、
前記画像取得部によって前記判断画像より以前に撮影された画像である判断前画像と、前記判断画像とに基づいて、瞼が開く方向に動いているか、または、瞼が閉じる方向に動いているかを判断する瞼判断部と、を備え、
前記信憑情報生成部は、前記瞼判断部による判断結果を用いて、前記瞼距離が同じであっても、瞼が開く方向に動いている方が、瞼が閉じる方向に動いているよりも信憑性が高くなる信憑情報を生成する、眼圧測定装置。
【請求項２】
前記判断画像の時点におけるアライメントのずれを検出する検出部をさらに備え、
前記信憑情報生成部は、前記検出部による検出結果を用いて、アライメントのずれが大きいほど、信憑性が低くなる信憑情報を生成する、請求項１記載の眼圧測定装置。
【発明の詳細な説明】
【技術分野】
【０００１】
本発明は、眼圧を測定する眼圧測定装置に関する。
【背景技術】
【０００２】
従来の眼圧測定装置において、被検眼の角膜に指標を投影し、その指標像が検出されるかどうかに応じて測定を行うかどうかを判断しているものがあった（例えば、特許文献１参照）。
【先行技術文献】
【特許文献】
【０００３】
【特許文献１】特開平９−１４９８８４号公報
【発明の概要】
【発明が解決しようとする課題】
【０００４】
しかしながら、従来の眼圧測定装置においては、指標像が検出されるかどうかに応じて測定を行うかどうかを判断するため、開瞼しているかどうかの判断しかできず、開瞼の程度を細かく判断することはできなかった。また、測定前に判断を行うため、測定を行うと判断された場合であっても、その後、測定を行うまでに開瞼状態が変わることもあった。
【０００５】
本発明は、上記課題を解決するためになされたものであり、開瞼の程度を細かく判断することができ、開瞼状態の判断対象となる時点と測定時点とのタイムラグを小さくすることができる眼圧測定装置を提供することを目的とする。
【課題を解決するための手段】
【０００６】
上記目的を達成するため、本発明による眼圧測定装置は、被検眼の角膜に気体を吹き付けることによって眼圧を測定する眼圧測定部と、被検眼を撮影し、被検眼の画像を取得する画像取得部と、眼圧測定の直前に取得された画像である判断画像を用いて、眼圧測定の開始後に被検眼の瞼の外縁を特定する瞼特定部と、瞼特定部が特定した瞼の外縁を用いて、気体が吹き付けられる領域の中心から瞼の外縁までの距離である瞼距離が大きいほど信憑性が高くなるように、眼圧測定部が測定した眼圧の信憑性に関する情報である信憑情報を生成する信憑情報生成部と、信憑情報を出力する信憑情報出力部と、を備えたものである。
このような構成により、瞼の外縁を特定することによって開瞼状態を算出するため、開瞼の程度を細かく判断することもできうる。例えば、開瞼しているかどうかの２段階の判断だけでなく、３段階以上の判断を行うことも可能となる。また、測定の直前の画像を用いて、測定開始後に信憑情報の生成を行うため、開瞼状態の判断対象となる時点と測定時点とのタイムラグを小さくすることができ、眼圧測定時に近い開瞼状態に応じた信憑情報を生成することができる。
【０００７】
また、本発明による眼圧測定装置では、画像取得部は、判断画像より以前に撮影した画像である判断前画像をも取得し、判断前画像と判断画像とに基づいて、瞼が開く方向に動いているか、または、瞼が閉じる方向に動いているかを判断する瞼判断部をさらに備え、信憑情報生成部は、瞼判断部による判断結果を用いて、瞼距離が同じであっても、瞼が開く方向に動いている方が、瞼が閉じる方向に動いているよりも信憑性が高くなる信憑情報を生成してもよい。
このような構成により、瞼の動く方向に応じて測定時の開瞼状態を予測することによって、信憑情報の精度を向上させることができる。
【０００８】
また、本発明による眼圧測定装置では、判断画像の時点におけるアライメントのずれを検出する検出部をさらに備え、信憑情報生成部は、検出部による検出結果を用いて、アライメントのずれが大きいほど、信憑性が低くなる信憑情報を生成してもよい。
このような構成により、アライメントのずれを用いることによって、信憑情報の精度を向上させることができる。
【発明の効果】
【０００９】
本発明による眼圧測定装置によれば、測定された眼圧の信憑性に関する信憑情報を得ることができる。そして、その信憑情報を用いることによって、例えば、再度、測定を行うかどうかを判断することができる。
【図面の簡単な説明】
【００１０】
【図１】本発明の実施の形態１による眼圧測定装置の構成を示すブロック図
【図２】同実施の形態による眼圧測定装置の光学系の構成を示す図
【図３】同実施の形態による眼圧測定装置の動作を示すフローチャート
【図４】同実施の形態による眼圧測定装置の動作を示すフローチャート
【図５】同実施の形態における前眼部画像の一例を示す図
【発明を実施するための形態】
【００１１】
以下、本発明による眼圧測定装置について、実施の形態を用いて説明する。なお、以下の実施の形態において、同じ符号を付した構成要素及びステップは同一または相当するものであり、再度の説明を省略することがある。
【００１２】
（実施の形態１）
本発明の実施の形態１による眼圧測定装置１について、図面を参照しながら説明する。本実施の形態による眼圧測定装置１は、瞼の外縁を特定することによって、開瞼状態に応じた測定眼圧の信憑性に関する信憑情報を生成するものである。
【００１３】
図１は、本実施の形態による眼圧測定装置１の構成を示すブロック図である。図２は、本実施の形態による眼圧測定装置１の光学系を示す図である。図１で示されるように、本実施の形態による眼圧測定装置１は、眼圧測定部１１と、画像取得部１２と、蓄積部１３と、瞼特定部１４と、瞼判断部１５と、検出部１６と、信憑情報生成部１７と、信憑情報出力部１８と、受付部１９と、表示部２０と、処理部２１とを備える。
【００１４】
眼圧測定部１１は、被検眼の角膜に気体を吹き付けることによって眼圧を測定する。すなわち、眼圧測定部１１は、非接触の眼圧測定を行う。より具体的には、眼圧測定部１１は、例えば、被検眼の角膜に気体を噴射する噴射手段と、噴射された気体により角膜が圧平状態になったことを検出する圧平検出手段と、噴射手段が噴射する気体の圧力を測定する圧力測定手段と、圧平状態が検出された時点での圧力から、眼圧を算出する眼圧算出手段とを備える。なお、眼圧測定部１１のように、被検眼の角膜に気体を吹き付けることによって眼圧を測定する方法はすでに公知であり、その詳細な説明を省略する。
【００１５】
画像取得部１２は、被検眼を撮影し、その被検眼の画像を取得する。画像取得部１２が取得する画像は、被検眼の前眼部の画像である。画像取得部１２が取得する画像は、静止画像であってもよく、または、動画像であってもよい。なお、この画像を用いてアライメントが調整されるため、画像取得部１２は、そのアライメントを調整可能な程度の頻度よりも短い頻度で画像を取得することが好適である。また、画像取得部１２は、判断画像、及び判断前画像を少なくとも取得する。それらの画像の詳細については後述する。
【００１６】
蓄積部１３は、画像取得部１２が取得した画像を所定の記録媒体に蓄積する。この記録媒体は、例えば、半導体メモリや、光ディスク、磁気ディスク等であり、蓄積部１３が有していてもよく、あるいは蓄積部１３の外部に存在してもよい。また、この記録媒体は、画像を一時的に記憶するものであってもよく、そうでなくてもよい。なお、画像取得部１２が連続して画像の取得を行う場合には、蓄積部１３は、新しく取得された画像を過去の画像に順次、上書きしてもよい。但し、蓄積部１３は、判断画像と、判断前画像とについては、上書きを行わないものとする。判断画像とは、瞼特定部１４が瞼の外縁の特定で用いる画像であり、眼圧測定の直前の画像である。眼圧測定の直前の画像とは、眼圧測定よりも前に画像取得部１２によって取得された画像であり、眼圧測定に最も近い時点の画像であることが好適である。判断前画像とは、判断画像より以前に撮影された画像である。その判断前画像は、アライメント時の画像であってもよい。なお、この判断前画像は、瞼の動きを判断するために用いられるものであるため、瞼を開けるのにかかる時間や瞼を閉じるのにかかる時間と同じか、それよりも短い時間程度、判断画像よりも以前に撮影されたものであることが好適である。したがって、例えば、画像取得部１２が、１秒間に３０フレーム程度の撮影を行っている場合には、判断前画像は、判断画像よりも１フレーム前の画像であってもよい。
【００１７】
瞼特定部１４は、判断画像を用いて、眼圧測定の開始後に被検眼の瞼の外縁を特定する。その判断画像は、眼圧測定の直前に取得された画像である。その判断画像は、結果として、眼圧測定の直前に取得されたものとなればよい。したがって、例えば、蓄積部１３が順次、蓄積した複数の画像（フレーム）のうち、眼圧測定が開始された時点よりも前の画像を、判断画像としてもよい。また、「眼圧測定の開始後に被検眼の瞼の外縁を特定する」とは、瞼特定部１４による特定の処理の結果を待たずに眼圧測定が行われることである。開瞼状態の判断時点と、眼圧測定の時点とのタイムラグを最小にするためである。また、人間の場合、上眼瞼が移動するため、瞼特定部１４が外縁を特定する瞼は、上眼瞼である。また、後述するように、瞼の外縁を特定するのは、眼圧測定のための気体が吹き付けられる被検眼の角膜の領域（以下、「エアー領域」と呼ぶこともある）の中心から瞼の外縁までの瞼距離などを算出するためである。そのため、瞼の外縁の特定は、被検眼の瞳孔や虹彩の付近において少なくとも行われればよい。なお、強膜（白目）の位置においても瞼の外縁の特定を行ってもよいことは言うまでもない。また、被検眼の前眼部を撮影した画像である判断画像を用いて瞼の外縁を特定する方法は問わないが、例えば、次のようにして行うことができる。
【００１８】
被検眼における眼圧の測定対象領域は、通常、瞳孔の中心付近である。そして、瞳孔やその周囲の虹彩と、瞼とは、輝度が異なるため、その輝度差を利用して瞼の外縁（エッジ）を特定することができる。すなわち、通常、瞼は、瞳孔や虹彩よりも輝度が高いため、その輝度差を検出することによって、瞼の輪郭を検出することができる。
【００１９】
具体的には、瞼特定部１４は、虹彩や瞳孔の領域において、鉛直方向（人間の立位での鉛直方向）に輝度の変化を検出することにより、瞼と、虹彩や瞳孔との境界点を特定する。例えば、上眼瞼側から瞳孔や虹彩の側に走査する場合には、輝度が高い値から低い値に変化する点が瞼の境界点となる。なお、その特定において、細かく境界点を特定することによって、瞼の外縁を特定してもよく、あるいは、ある程度、間隔を空けて境界点を特定し、その境界点を滑らかな曲線でつなぐことによって、瞼の外縁を特定してもよい。その曲線は、例えば、ベジェ曲線であってもよく、スプライン曲線であってもよく、あるいは、その他の滑らかな曲線であってもよい。
【００２０】
なお、瞼の外縁の特定とは、結果として、瞼の外縁の位置が分かるのであれば、どのような方法であってもよい。例えば、瞼の外縁を示す複数の座標を図示しない記録媒体に蓄積することであってもよく、瞼の外縁の位置の画素を識別する情報を図示しない記録媒体に蓄積することであってもよく、瞼の外縁の位置の画素に対してフラグ等の指標を設定することであってもよく、または、その他の方法であってもよい。また、強膜の位置において瞼の外縁を特定しない場合であって、瞼の外縁が瞳孔及び虹彩の領域上にない場合には、瞼の外縁の特定を行わなくてもよい。そのような場合には、理想的な開瞼状態であるため、例えば、瞼特定部１４による瞼の外縁の特定を行わず、最も高い信憑性となるように、後述する信憑情報の生成を行ってもよく、または、あらかじめ設定されている理想的な瞼の外縁の位置（図示しない記録媒体で記憶されていてもよい）を瞼特定部１４が特定するようにしてもよい。なお、あらかじめ設定されている理想的な瞼の外縁を用いた場合には、後述する信憑情報の生成において、通常、高い信憑性の信憑情報が生成されることになるものとする。
【００２１】
瞼判断部１５は、判断前画像と判断画像とに基づいて、瞼が開く方向に動いているか、または、瞼が閉じる方向に動いているかを判断する。なお、どちらでもない場合には、瞼判断部１５は、瞼に動きがないと判断してもよい。判断画像は判断前画像よりも後に撮影された画像であるため、判断画像の瞼の方が、判断前画像の瞼よりも閉じている場合には、瞼が閉じる方向に動いていると判断できる。一方、判断画像の瞼の方が、判断前画像の瞼よりも開いている場合には、瞼が開く方向に動いていると判断できる。また、両画像の瞼に変化がない場合には、瞼に動きがないと判断できる。なお、瞼判断部１５が、開瞼状態の変化について判断する方法は問わないが、ここでは、（Ａ）瞼の外縁を用いる方法、（Ｂ）両画像の差分を用いる方法について説明する。
【００２２】
（Ａ）瞼の外縁を用いて開瞼状態の変化を判断する方法
判断前画像についても、瞼特定部１４による処理を行うことにより、判断前画像についても、瞼の外縁を特定することができる。そして、瞼判断部１５は、両画像で特定された瞼の外縁を用いて、開瞼状態の変化を判断することができる。すなわち、判断前画像の瞼の外縁の位置に対して判断画像の瞼の外縁の位置の方が上側（人間の立位での上側）になっている場合には、瞼が開く方向であると判断でき、逆に判断前画像の瞼の外縁の位置に対して判断画像の瞼の外縁の位置の方が下側になっている場合には、瞼が閉じる方向であると判断できる。また、両画像の瞼の外縁の位置に変化がない場合には、瞼に動きがないと判断できる。なお、瞼の外縁の位置の比較は、例えば、基準となる位置から瞼の外縁までの距離の比較によって行ってもよく、または、その他の比較によって行ってもよい。基準となる位置は、例えば、瞳孔の中心であってもよく、光軸であってもよく、眼圧測定のために気体が吹き付けられる被検眼の領域の中心であってもよく、アライメント中心であってもよく、あるいは、その他の位置であってもよい。通常、瞳孔の中心や光軸等の基準となる位置から瞼の外縁までの距離が大きい方が瞼の外縁が上側に位置することになる。したがって、瞼判断部１５は、判断画像の方が判断前画像よりも、基準となる位置から瞼の外縁までの距離が大きくなっている場合には、瞼が開く方向であると判断することができ、判断画像の方が判断前画像よりも、基準となる位置から瞼の外縁までの距離が小さくなっている場合には、瞼が閉じる方向であると判断することができ、両者が変わらない場合（あらかじめ決められた誤差の範囲内で変わらない場合であってもよい）には、瞼に動きがないと判断することができる。このような判断を行うことにより、判断画像と判断前画像とにおいて、明るさの変化等に応じて瞳孔の大きさが変化した場合にも対応することができるようになる。
【００２３】
（Ｂ）判断前画像と判断画像との差分を用いて開瞼状態の変化を判断する方法
前述のように、瞳孔は黒色に近く、瞼は瞳孔よりも明るい色である。そのため、判断前画像と、判断画像とのうち、瞼の閉じている量が多い画像ほど、明るい画像となる。したがって、瞼判断部１５は、両画像のどちらが明るいかを判断することにより、開瞼状態を判断することができる。すなわち、瞼判断部１５は、判断前画像の方が判断画像よりも明るい場合には、瞼が開く方向であると判断することができ、判断前画像の方が判断画像よりも暗い場合には、瞼が閉じる方向であると判断することができる。なお、両画像の明るさの比較は、例えば、画像ごとに全画素の輝度値の平均や合計を算出し、両平均や両合計を比較することによって行ってもよく（輝度の平均値や合計値の高い方が明るい画像となる）、両画像の対応する画素ごとに輝度値の差分を算出し、その差分の平均や合計によって行ってもよく（差分の平均値や合計値によって、高い輝度値を持っていることが示される画像の方が明るい画像となる）、あるいは、その他の方法によって行ってもよい。また、差分を算出して判断を行う場合には、瞳孔の領域についてのみ、その差分を算出するようにしてもよく、あるいは、そうでなくてもよい。また、輝度値の平均や合計を比較する場合にも、そのようにしてもよい。瞳孔の領域とは、瞳孔の少なくとも一部が瞼で覆われている場合であっても、その瞼で覆われている部分を含む瞳孔の領域であることが好適である。瞳孔の領域は、例えば、瞳孔の中心から瞳孔の半径だけ離れた点を結ぶ円板状の領域であってもよい。なお、判断画像や判断前画像における最も輝度値の低い略円板状の領域を特定することによって瞳孔の領域を特定することができる。そして、その特定した瞳孔の領域を用いて、上述の処理を行ってもよい。また、瞳孔の中心は、アライメントが完了している場合には、光軸や画像の中心等と一致することになる。
【００２４】
検出部１６は、判断画像の時点におけるアライメントのずれを検出する。このアライメントのずれは、被検眼の角膜の面方向におけるアライメント、すなわち、ＸＹ方向のアライメントである。ここで、本明細書では、眼圧測定装置１の光軸方向、すなわち、被検眼の視線方向（前後方向）をＺ方向とし、それにＺ方向に垂直な面内における水平方向（左右方向）をＸ方向、鉛直方向（上下方向）をＹ方向としている。なお、すでにオートアライメントの眼科装置が知られており、その眼科装置では、ＸＹ方向のアライメントのずれ量を測定し、そのずれ量が最低になるようにアライメントを調整することが行われている。したがって、アライメントのずれを検出する方法はすでに公知であり、その詳細な説明を省略する。
【００２５】
信憑情報生成部１７は、瞼特定部１４が特定した瞼の外縁を用いて、後述する瞼距離が大きいほど信憑性が高くなるように、眼圧測定部１１が測定した眼圧の信憑性に関する情報である信憑情報を生成する。ここで、瞼距離とは、エアー領域の中心から瞼の外縁までの距離である。通常、眼圧測定装置１の光学系の光軸と、エアー領域の中心とは一致している。また、通常、アライメントが完了している場合には、眼圧測定装置１の光学系の光軸と、被検眼の光軸（瞳孔の中心）とは一致している。したがって、エアー領域の中心は、光学系の光軸であってもよく、また、アライメントが完了している場合には被検眼の光軸であってもよい。また、瞼距離は、通常、エアー領域の中心から瞼の外縁までの最も短い距離である。なお、結果として、瞼距離が大きいほど信憑性が高くなるのであれば、信憑情報生成部１７は、瞼距離を算出し、その瞼距離を用いて信憑情報を生成してもよく、あるいは、瞼距離と相関のある別の値を算出し、その値を用いて信憑情報を生成してもよい。瞼距離と相関のある別の値は、例えば、エアー領域の輪郭（通常、円形の輪郭である）と、瞼の外縁までの距離（通常、最短の距離である）であってもよく、瞼距離を、エアー領域の半径もしくは直径や、瞳孔の半径もしくは直径で割った値であってもよく、または、その他の値であってもよい。なお、瞳孔の半径や直径は、複数箇所で測定された半径や直径の平均であってもよい。また、信憑情報生成部１７が生成する信憑情報は、結果として信憑性が高いかどうかを知ることができる情報であれば、どのような情報であってもよい。信憑情報は、信憑性を数値的に示すものであってもよく、あるいは、段階的に示すものであってもよい。前者の場合に、信憑情報は、信憑性が高いほど高い値となる情報であってもよく、あるいは、信憑性が低いほど高い値となる情報であってもよい。なお、瞼距離や瞼距離と相関のある値が大きいほど、信憑性は高くなるため、信憑性は瞼距離や瞼距離と正の相関のある値に対して単調増加となる。したがって、信憑性が高いほど信憑情報が高い値となる場合には、信憑情報は、瞼距離や瞼距離と正の相関のある値を引数とする単調増加関数を用いて算出されてもよい。また、信憑性が高いほど信憑情報が低い値となる場合には、信憑情報は、瞼距離や瞼距離と正の相関のある値を引数とする単調減少関数を用いて算出されてもよい。また、段階的に信憑性を示す場合には、信憑情報は、例えば、「高」「中」「低」であってもよく、「Ａ」「Ｂ」「Ｃ」「Ｄ」であってもよく、その他の段階であってもよい。その場合に、例えば、「高」や「Ａ」の方が信憑性が高く、「低」や「Ｄ」の方が信憑性が低いと決められていてもよい。その場合には、瞼距離や瞼距離と相関のある値の幅ごとに、例えば、「高」「中」「低」や、「Ａ」「Ｂ」「Ｃ」「Ｄ」などの信憑情報が割り振られてもよい。また、その段階は、例えば、２段階であってもよく、あるいは、３段階以上であってもよい。
【００２６】
また、信憑情報生成部１７は、瞼距離や瞼距離と相関のある値以外の情報を用いて信憑情報を生成してもよい。例えば、信憑情報生成部１７は、瞼判断部１５による判断結果を用いて信憑情報を生成してもよい。また、例えば、信憑情報生成部１７は、検出部１６による測定結果を用いて信憑情報を生成してもよい。瞼判断部１５による判断結果を用いる場合には、信憑情報生成部１７は、瞼距離や、アライメントのずれ量が同じであっても、瞼が開く方向に動いている方が、瞼が閉じる方向に動いているよりも信憑性が高くなる信憑情報を生成してもよい。判断画像の撮影時点において瞼が開く方向に動いている場合には、判断画像の直後での眼圧の測定時には、瞼距離はさらに大きくなっていると考えられる。したがって、その場合には、信憑性をより高くすることになる。一方、判断画像の撮影時点において瞼が閉じる方向に動いている場合には、判断画像の直後での眼圧の測定時には、瞼距離はさらに小さくなっていると考えられる。したがって、その場合には、信憑性をより低くすることになる。なお、瞼判断部１５による判断結果により、瞼が動いていないことが示される場合には、信憑情報生成部１７は、その判断結果を用いないで、瞼距離や瞼距離と相関のある値、アライメントのずれ量に応じて信憑情報を生成してもよい。また、検出部１６による検出結果を用いる場合には、信憑情報生成部１７は、アライメントのずれが大きいほど、信憑性が低くなる信憑情報を生成してもよい。判断画像の撮影時点においてアライメントのずれが大きい場合には、判断画像の直後での眼圧の測定時には、アライメントがずれており、適切な測定を行うことができていないと考えられる。したがって、その場合には、信憑性を低くすることになる。判断画像の撮影時点においてアライメントのずれが小さい場合には、判断画像の直後での眼圧の測定時にもアライメントのずれが小さく、適切な測定を行うことができている可能性が高いと考えられる。したがって、その場合には、信憑性を高くすることになる。なお、検出部１６によるアライメントのずれの測定値を用いる場合には、信憑情報生成部１７は、瞼距離や、瞼の動く方向が同じであっても、アライメントのずれ量が少ない方が、アライメントのずれ量が多いときよりも信憑性が高くなる信憑情報を生成してもよい。
【００２７】
信憑情報出力部１８は、信憑情報生成部１７が生成した信憑情報を出力する。ここで、この出力は、例えば、表示デバイス（例えば、ＣＲＴや液晶ディスプレイなど）への表示でもよく、所定の機器への通信回線を介した送信でもよく、プリンタによる印刷でもよく、スピーカによる音声出力でもよく、記録媒体への蓄積でもよく、他の構成要素への引き渡しでもよい。本実施の形態では、信憑情報出力部１８が信憑情報を処理部２１に引き渡す場合について説明する。なお、信憑情報出力部１８は、出力を行うデバイス（例えば、表示デバイスやプリンタなど）を含んでもよく、あるいは含まなくてもよい。また、信憑情報出力部１８は、ハードウェアによって実現されてもよく、あるいは、それらのデバイスを駆動するドライバ等のソフトウェアによって実現されてもよい。
【００２８】
受付部１９は、入力を受け付ける。その入力は、例えば、眼圧測定の開始の指示であってもよく、装置の光学系に対する移動の指示であってもよく、その他の指示や情報等であってもよい。受付部１９は、例えば、入力デバイス（例えば、キーボードやマウス、タッチパネルなど）から入力された情報を受け付けてもよく、有線もしくは無線の通信回線を介して送信された情報を受信してもよい。なお、受付部１９は、受け付けを行うためのデバイス（例えば、モデムやネットワークカードなど）を含んでもよく、あるいは含まなくてもよい。また、受付部１９は、ハードウェアによって実現されてもよく、あるいは所定のデバイスを駆動するドライバ等のソフトウェアによって実現されてもよい。
【００２９】
表示部２０は、情報の表示を行う。表示対象となる情報は、例えば、画像取得部１２が取得した画像であってもよく、眼圧測定部１１が測定した眼圧の値であってもよく、または、その他の情報であってもよい。なお、表示部２０は、それらの表示を行う表示デバイス（例えば、ＣＲＴや液晶ディスプレイなど）を含んでもよく、あるいは含まなくてもよい。また、表示対象の表示は、別の装置においてなされてもよい。その場合には、表示部２０は、装置の外部に対して表示対象の情報を送信するものであってもよい。また、表示部２０は、ハードウェアによって実現されてもよく、あるいは表示デバイスを駆動するドライバ等のソフトウェアによって実現されてもよい。
【００３０】
処理部２１は、信憑情報出力部１８から信憑情報を受け取り、その信憑情報に応じた処理を行う。例えば、処理部２１は、信憑情報によって、信憑性の高いことが示される場合には、その信憑情報の生成に応じて測定された眼圧値をそのまま用いるようにしてもよい。また、信憑情報によって、信憑性が高くはないが、低くもないことが示される場合には、その信憑情報の生成に応じて測定された眼圧値を、信憑性が高くはない旨の警告と共に用いるようにしてもよい。また、信憑情報によって、信憑性が低いことが示される場合には、その信憑情報の生成に応じて測定された眼圧値を破棄させるようにしてもよい。なお、処理部２１が、上記説明以外の信憑情報に応じた処理を行ってもよいことは言うまでもない。
【００３１】
次に、図２を用いて、眼圧測定装置の光学系について簡単に説明する。測距用光源４０から出射された光は、集光レンズ４１によって平行光束とされ、噴射手段３８を構成するガラス板４２，４３を介して被検眼の角膜に投光される。測距用光源４０は、例えば、赤外光を出射するＬＥＤであってもよく、そうでなくてもよい。そのようにして角膜に投光された光は、ガラス板４３，４２、受光レンズ４５、ハーフミラー４６、シリンドリカルレンズ４７を介して、測距センサ４８で受光される。測距センサ４８は、例えば、ラインセンサであり、光量重心の位置を求めることにより、被検眼に対するＺ方向の距離を測定することができる。その距離は、Ｚ方向における手動のまたは自動のアライメント調整に用いられる。なお、図２では、本実施の形態による眼圧測定装置１に関係のある光学系のみを示している。したがって、それ以外の光学系が存在してもよいことは言うまでもない。また、それらの光学系を被検眼に対して三次元方向（ＸＹＺ方向）に移動させる移動手段（手動の移動手段であってもよく、または、モータ等の駆動手段を用いた移動手段であってもよい）が存在してもよいことは言うまでもない。
【００３２】
なお、ハーフミラー４６によって反射された光は、集光レンズ４９を介して圧平検出センサ５０で受光される。圧平検出センサ５０は、光センサであり、ノズル３６を介して被検眼に吹き付けられた空気により、被検眼が圧平状態となった際に、もっとも受光量が多くなるように設定されている。したがって、その圧平検出センサ５０の出力電圧が最大値となった時点における噴出空気の圧力から、眼圧を算出することによって、被検眼の眼圧を測定することができる。なお、ノズル３６は、眼圧測定部１１の噴出手段に、圧平検出センサ５０は、眼圧測定部１１の圧平検出手段に含まれていると考えてもよい。
【００３３】
アライメント用光源３１から出射された光は、コリメートレンズ３３を介して集光され、ハーフミラー３４、対物レンズ３５、ノズル３６を介して被検眼の角膜に投光され、ＸＹ方向のアライメントに用いられる指標が角膜上に形成される。
【００３４】
図示しない照明光源によって照明された、ＸＹ方向のアライメント用の指標を含む被検眼の前眼部像は、対物レンズ３５、ハーフミラー３４、結像レンズ３７を介して、撮像センサ３９上に形成される。撮像センサ３９は、例えば、ＣＣＤやＣＭＯＳ等の固体撮像素子である。ここで、結像レンズ３７、撮像センサ３９は、画像取得部１２に含まれると考えてもよい。なお、ノズル３６と、ＸＹ方向のアライメント用、及び被検眼の観察用の光軸とは一致しているものとする。
【００３５】
また、噴射手段３８は、被検眼に対向した位置に配されたノズル３６から圧縮空気を噴射するもので、ノズル３６に接続したチャンバ４４に図示しないポンプやソレノイドなどの送気手段によって空気を送るよう構成されている。ノズル３６とチャンバ４４は、アライメント光の光軸上に設けられていて、チャンバ４４におけるアライメント光や測距光及びそれらの反射光の光路は透光材で構成され、チャンバ４４から突出したノズル３６は透光材のガラス板４２、４３で支持されている。
【００３６】
次に、眼圧測定装置１の動作について図３のフローチャートを用いて説明する。
（ステップＳ１０１）画像取得部１２は、被検眼の前眼部の画像を取得する。その画像は、表示部２０によって表示される。なお、その画像は、蓄積部１３によって図示しない記録媒体に蓄積されるものとする。また、ステップＳ１０２からステップＳ１０１に戻った場合に、画像取得部１２は、あらかじめ決められた頻度（例えば、１秒間に３０フレーム等）で画像の取得を行うように、画像の取得のタイミングを待ってから画像の取得を行ってもよく、あるいは、そうでなく、すぐに画像の取得を行ってもよい。
【００３７】
（ステップＳ１０２）眼圧測定部１１は、眼圧を測定するタイミングであるかどうか判断する。そして、眼圧を測定するタイミングである場合には、ステップＳ１０３に進み、そうでない場合には、ステップＳ１０１に戻る。なお、眼圧測定部１１は、受付部１９が眼圧測定の指示を受け付けた場合に、眼圧を測定するタイミングであると判断してもよく（手動アライメントの場合）、図示しない自動アライメント手段によって、アライメントが完了した旨を受け付けた場合に、眼圧を測定するタイミングであると判断してもよく（自動アライメントの場合）、あるいは、その他の眼圧測定に適したタイミングで眼圧を測定するタイミングであると判断してもよい。
【００３８】
（ステップＳ１０３）画像取得部１２は、眼圧測定直前の前眼部の画像である判断画像を取得する。その判断画像は、蓄積部１３によって図示しない記録媒体に蓄積される。この場合にも、画像取得部１２は、あらかじめ決められたタイミングで画像の取得を行ってもよく、あるいは、そうでなく、すぐに画像の取得を行ってもよい。
【００３９】
（ステップＳ１０４）眼圧測定部１１は、被検眼の角膜に圧縮した気体を噴射し、圧平状態を検出し、その検出された圧平状態における気体の圧力センサの出力を特定し、その特定した圧力センサの出力を換算することにより、眼圧を測定する。その測定された眼圧は、表示部２０で表示されてもよく、また、図示しない記録媒体で記憶されてもよい。
【００４０】
（ステップＳ１０５）瞼特定部１４は、蓄積部１３が蓄積した判断画像を用いて、瞼の外縁を特定する。
【００４１】
（ステップＳ１０６）瞼判断部１５は、蓄積部１３が蓄積した判断画像と、その判断画像より前の画像である判断前画像とを用いて、瞼の動きの方向を判断する。その判断結果は、図示しない記録媒体で記憶されてもよい。
【００４２】
（ステップＳ１０７）検出部１６は、判断画像の時点におけるアライメントのずれを検出する。その測定結果は、図示しない記録媒体で記憶されてもよい。
【００４３】
（ステップＳ１０８）信憑情報生成部１７は、瞼特定部１４による瞼の外縁の特定結果、瞼判断部１５による瞼の動き方向の判断結果、検出部１６によるアライメントのずれ量の検出結果を用いて、信憑情報を生成する。
【００４４】
（ステップＳ１０９）信憑情報出力部１８は、信憑情報生成部１７が生成した信憑情報を出力する。本実施の形態では、前述のように、その信憑情報は処理部２１に引き渡されるものとする。そして、眼圧を測定し、その眼圧測定に対する信憑情報を生成する処理が終了となる。再度、眼圧の測定や信憑情報の生成を行う場合には、ステップＳ１０１からの処理が繰り返されることになる。
【００４５】
ここで、信憑情報を受け取った処理部２１による処理の一例について、図４のフローチャートを用いて説明する。なお、図４のフローチャートでは、信憑情報が信憑性に対して単調増加である場合について説明する。
（ステップＳ２０１）処理部２１は、信憑情報によって示される信憑性の指標が、第１のしきい値以上であるかどうか判断する。そして、第１のしきい値以上である場合には、ステップＳ２０２に進み、第１のしきい値以上でない場合には、ステップＳ２０３に進む。
【００４６】
（ステップＳ２０２）処理部２１は、受け取った信憑情報の生成に応じて測定された眼圧値が正常であると判断し、その眼圧値が正常なものとして取り扱われるようにする。例えば、処理部２１は、眼圧測定部１１や表示部２０に対して何も指示を渡さないことによって、眼圧値が正常なものとして取り扱われるようにしてもよく、あるいは、眼圧測定部１１や表示部２０に対して眼圧値が正常である旨を渡すことによって、眼圧値が正常なものとして取り扱われるようにしてもよい。そして、信憑情報に応じた処理は終了となる。
【００４７】
（ステップＳ２０３）処理部２１は、信憑情報によって示される信憑性の指標が、第２のしきい値以上であるかどうか判断する。そして、第２のしきい値以上である場合には、ステップＳ２０４に進み、第２のしきい値以上でない場合には、ステップＳ２０５に進む。なお、第２のしきい値は、第１のしきい値よりも小さい値であるとする。
【００４８】
（ステップＳ２０４）処理部２１は、受け取った信憑情報の生成に応じて測定された眼圧値が正常でない可能性もあると判断し、その眼圧値の測定が正常でない可能性もあるものとして取り扱われるようにする。例えば、処理部２１は、眼圧測定部１１や表示部２０に対して眼圧値の測定が正常でない可能性もある旨を渡すことによって、眼圧値の測定が正常でない可能性もあるものとして取り扱われるようにしてもよい。具体的には、正常でない可能性がある旨の警告と共に眼圧値を蓄積したり、表示したりしてもよい。そして、信憑情報に応じた処理は終了となる。
【００４９】
（ステップＳ２０５）処理部２１は、受け取った信憑情報の生成に応じて測定された眼圧値が異常（エラー）であると判断し、その眼圧値の測定が異常なものとして取り扱われるようにする。例えば、処理部２１は、眼圧測定部１１や表示部２０に対して眼圧値の測定が異常である旨を渡すことによって、眼圧値の測定が異常なものとして取り扱われるようにしてもよい。具体的には、眼圧値が破棄されたり、眼圧値の測定に失敗した旨が表示されたりしてもよい。そして、信憑情報に応じた処理は終了となる。
【００５０】
なお、信憑情報が第１のしきい値以上である場合には、眼圧測定の信憑性が十分に高く、信憑情報が第２のしきい値以上であり、第１のしきい値未満である場合には、眼圧測定の信憑性が高くはないが、適切に測定できている場合もありうる範囲であり、信憑情報が第２のしきい値未満である場合には、眼圧測定が異常（エラー）であるように、第１及び第２のしきい値が設定されることが好適である。
【００５１】
次に、本実施の形態による眼圧測定装置１の動作について、具体例を用いて説明する。この具体例では、手動でアライメントが行われる場合について説明する。
被検者の眼圧測定の操作が開始されると、表示部２０に被検眼の前眼部の画像が表示される（ステップＳ１０１）。そして、その画像におけるＸＹ方向のアライメント用の指標像や、測距センサ４８によって検出されたＺ方向の距離を用いて、検者は、アライメントを調整する。そして、図５（ａ）で示されるように、アライメントが完了した時点において、検者が測定開始ボタン（図示せず）を押下したとする。すると、受付部１９は、測定開始ボタンが押下された旨を眼圧測定部１１に渡す。眼圧測定部１１は、測定開始ボタンが押下された旨を受け取ると、眼圧測定を行うと判断し（ステップＳ１０２）、画像取得部１２に、判断画像を取得する旨の指示を渡す。画像取得部１２は、その指示に応じて、その指示の次に画像を取得するタイミングにおいて判断画像を取得し、蓄積部１３に渡す（ステップＳ１０３）。蓄積部１３は、その判断画像を図示しない記録媒体に蓄積する。その判断画像は、図５（ｂ）で示されるものであるとする。また、眼圧測定部１１は、圧縮された気体を、ノズル３６を介して被検眼に吹き付け、圧平検出センサ５０で圧平状態が検出されると、その時点に応じたシリンダ内の圧力を用いて、被検眼の眼圧を算出する（ステップＳ１０４）。眼圧測定部１１は、その算出した眼圧値を図示しない記録媒体に蓄積するものとする。
【００５２】
その後、瞼特定部１４は、蓄積部１３が蓄積した判断画像を用いて、瞼の外縁を特定する（ステップＳ１０５）。具体的には、瞼特定部１４は、図５（ｂ）の判断画像における上下方向の直線上において、輝度の変化を検出することにより、瞼の境界点を図５（ｃ）で示されるように特定する。また、図５（ｃ）において、黒丸で示される点が、特定された瞼の境界点である。また、説明の便宜上、図５（ｃ）以降の図面において、上眼瞼の睫毛を省略している。その境界点によって構成される瞼の外縁を示す座標点等の情報は、図示しない記録媒体に蓄積されてもよい。
【００５３】
その後、瞼判断部１５は、判断画像と、判断前画像とを用いて、瞼が開く方向に動いているのか、あるいは、閉じる方向に動いているのかを判断する（ステップＳ１０６）。この具体例において、判断前画像は、図５（ａ）で示されるものであったとする。また、この具体例では、前述の（Ａ）の方法により、瞼の動きを判断するものとする。その場合には、瞼判断部１５は、図５（ｃ）の判断画像において、画像の中心（アライメントが完了している場合には、光軸や瞳孔の中心と一致する）から、瞼の外縁までの距離を特定する。そして、その特定された距離と、図５（ａ）において、同様にして特定された距離とを比較する。この具体例では、図５（ｃ）の判断画像の方が瞼の外縁までの距離が小さかったとする。すると、瞼判断部１５は、瞼が閉じる方向に動いていると判断し、その判断結果を図示しない記録媒体に蓄積する。
【００５４】
また、検出部１６は、判断画像の撮影時点において、ＸＹ方向のアライメントのずれ量を検出する（ステップＳ１０７）。この具体例では、アライメントがほとんどずれておらず、有意なずれ量が検出されなかったとする。その検出結果は、図示しない記録媒体に蓄積される。
【００５５】
その後、信憑情報生成部１７は、特定された瞼の外縁と、瞼の動き方向と、アライメントのずれ量とを用いて、信憑情報を生成する（ステップＳ１０８）。この具体例では、信憑情報は信憑性を示す情報であり、次の式によって算出される情報であるとする。その式において、アライメントが完了している場合には、瞳孔中心と光軸と画像中心とが一致しているため、画像中心から瞼までの距離を瞼距離として用いるものとする。また、エアー領域半径とは、図５（ｄ）の破線の円で示されるエアー領域（眼圧測定のために気体が吹き付けられる被検眼の領域）の半径である。この半径は、通常、気体を吹き付けるノズル３６の内側の半径に近似したものである。図５（ｄ）において、ｒ１がエアー領域半径である。ｒ１は、通常、眼圧測定装置１ごとに決まっている値であり、信憑情報生成部１７は、その値の記憶されている図示しない記録媒体から、そのｒ１を読み出して信憑情報の算出に用いてもよい。また、図５（ｄ）において、ｒ２が画像中心（エアー領域の中心）から瞼までの距離（瞼距離）である。信憑情報生成部１７は、例えば、画像の上下方向において、判断画像の画像中心から、瞼特定部１４によって特定された瞼の外縁までの距離を「瞼距離」としてもよく、あるいは、判断画像の画像中心から、瞼特定部１４によって特定された瞼の外縁上の複数の点（特定されたすべての境界点であってもよく、それよりも多い点あるいは少ない点であってもよい）との距離のうち、もっとも短い距離を「瞼距離」としてもよい。また、（瞼距離）／（エアー領域半径）によって瞼がエアー領域にかかる程度が算出され、その値が瞼の動き補正値によって補正されることになる。また、その補正の結果が、アライメントのずれ量に応じてさらに補正されることになる。
信憑情報＝（瞼距離）×（瞼の動き補正値）／（エアー領域半径）
−（アライメントのずれ量）／（エアー領域半径）
【００５６】
但し、「瞼の動き補正値」は、瞼が開く方向に動いている場合には１を超える数値（例えば、「１．１」や「１．２」、「１．３」などであり、この具体例では、「１．２」であるとする）であり、瞼が閉じる方向に動いている場合には１未満の数値（例えば、「０．９」や「０．８」、「０．７」などであり、この具体例では、「０．８」であるとする）であり、瞼の動きが検出されなかった場合には１である。なお、信憑情報が１を超えれば「１」とし、０より小さくなれば「０」とする。したがって、信憑情報は、０から１までのいずれかの数値の情報となり、１に近いほど信憑性が高いことになり、０に近いほど信憑性が低いことになる。この具体例では、信憑情報は、「１．０」であったとする。すると、信憑情報出力部１８は、その信憑情報「１．０」を処理部２１に引き渡す（ステップＳ１０９）。
【００５７】
処理部２１は、その信憑情報を受け取ると、その信憑情報を、第１及び第２のしきい値と比較する。ここで、第１のしきい値は「１」であり、第２のしきい値は「０．５」であったとする。すると、処理部２１は、信憑情報「１．０」が、第１のしきい値以上であると判断し（ステップＳ２０１）、眼圧測定部１１、及び表示部２０に、眼圧値の測定が正常である旨を渡す（ステップＳ２０２）。その結果、眼圧測定部１１は、眼圧値の測定が正常である旨を、測定した眼圧値に対応付けて蓄積し、表示部２０は、正常である旨と共に、測定された眼圧値を表示する。その結果、検者は、測定された眼圧値が正常であることを知ることができ、例えば、その眼圧値を正式な測定値として保存したり、被検者に通知したりしてもよい。
【００５８】
なお、ここでは、画像中心から瞼までの距離を用いて信憑情報を算出する場合について説明したが、そうでなくてもよいことは前述の通りである。すなわち、信憑性を示す信憑情報の場合、瞼距離が大きいほど、大きい値となる信憑情報であればよく、例えば、図５（ｅ）で示すエアー領域の輪郭から瞼までの距離「ｄ」を用いて、次のように信憑情報を算出してもよい。なお、瞼の外縁がエアー領域内に存在する場合には、エアー領域の輪郭から瞼までの距離（ｄ）はマイナスの値になるものとする。
信憑情報＝（エアー領域の輪郭から瞼までの距離）／（エアー領域半径）
＋（瞼の動き補正値）−（アライメントのずれ量）／（エアー領域半径）
【００５９】
但し、「瞼の動き補正値」は、瞼が開く方向に動いている場合には０を超える数値（例えば、「０．１」や「０．２」、「０．３」など）であり、瞼が閉じる方向に動いている場合には０未満の数値（例えば、「−０．１」や「−０．２」、「−０．３」などである）であり、瞼の動きが検出されなかった場合には０である。また、この式で信憑情報を算出する場合には、処理部２１が用いる第１のしきい値は「０」であり、第２のしきい値は「−０．５」であってもよい。
【００６０】
また、この具体例では、判断前画像と判断画像とを用いることによって、瞼が閉じる方向に動いていると判断される場合について説明したが、例えば、判断前画像が図５（ｆ）で示されるものである場合には、瞼が開く方向に動いていると判断されることになる。その結果、瞼が開く場合の瞼の動き補正値を用いて信憑情報が算出されることになる。
【００６１】
また、この具体例では、「正常」と判断される場合について説明したが、信憑情報の値が第１のしきい値と第２のしきい値との間であった場合には（ステップＳ２０１，Ｓ２０３）、処理部２１は、眼圧測定部１１、及び表示部２０に、眼圧値の測定が正常でない可能性を有する旨の警告を渡す（ステップＳ２０４）。その結果、眼圧測定部１１は、眼圧値の測定が正常でない可能性を有する旨の警告を、測定した眼圧値に対応付けて蓄積し、表示部２０は、その警告と共に、測定された眼圧値を表示してもよい。そして、検者は、測定された眼圧値が正常でない可能性のあることを知ることができ、例えば、その被検者の過去のデータを参照し、過去のデータとあまり違いがなかった場合には、その眼圧値を採用し、過去のデータと違っていた場合には、再度、眼圧測定を行うようにしてもよい。また、信憑情報の値が第２のしきい値未満であった場合には（ステップＳ２０１，Ｓ２０３）、処理部２１は、眼圧測定部１１、及び表示部２０に、眼圧値の測定がエラーである旨の警告を渡す（ステップＳ２０５）。その結果、眼圧測定部１１は、測定された眼圧値を破棄し、表示部２０は、眼圧値の測定がエラーである旨を表示してもよい。そして、検者は、再度、眼圧の測定を行ってもよい。
【００６２】
また、この具体例において、信憑情報が、処理部２１が判断する「正常」、「警告」、「エラー」と同様のものであってもよい。その場合には、信憑情報生成部１７は、上述の式を用いて算出された値をしきい値と比較することによって、「正常」等の信憑情報を生成してもよい。
【００６３】
以上のように、本実施の形態による眼圧測定装置１によれば、測定された眼圧の信憑性に関する信憑情報を得ることができ、その信憑情報を用いることによって、再度の測定を行うのかどうかなどを判断することができるようになる。また、その信憑情報を生成する際に用いられる判断画像を眼圧測定の直前のものとし、眼圧測定の開始後に判断画像を用いた信憑情報の生成を行うことによって、判断時点と、測定時点とのタイムラグを短くすることができ、より正確な信憑情報を得ることができる。また、瞼の動き方向や、アライメントのずれ量を用いることによって、より正確な信憑情報を得ることができるようになる。また、特定された瞼の外縁を用いて信憑情報を生成することにより、３段階以上の信憑情報を生成することも可能である。その場合には、その信憑情報を用いて、より細かい処理を行うこともできるようになる。
【００６４】
なお、本実施の形態では、眼圧測定装置１が処理部２１を備える場合について説明したが、そうでなくてもよい。すなわち、眼圧測定装置１は、処理部２１を備えていなくてもよい。その場合には、信憑情報出力部１８は、例えば、信憑情報を表示してもよく、音声出力してもよく、または、信憑情報を表示部２０等に引き渡してもよい。
【００６５】
また、本実施の形態では、眼圧測定装置１が検出部１６を備える場合について説明したが、そうでなくてもよい。この場合には、信憑情報生成部１７は、アライメントのずれ量を用いないで信憑情報を生成することになる。
【００６６】
また、上記実施の形態において、各処理または各機能は、単一の装置または単一のシステムによって集中処理されることによって実現されてもよく、あるいは、複数の装置または複数のシステムによって分散処理されることによって実現されてもよい。
【００６７】
また、上記実施の形態において、各構成要素間で行われる情報の受け渡しは、例えば、その情報の受け渡しを行う２個の構成要素が物理的に異なるものである場合には、一方の構成要素による情報の出力と、他方の構成要素による情報の受け付けとによって行われてもよく、あるいは、その情報の受け渡しを行う２個の構成要素が物理的に同じものである場合には、一方の構成要素に対応する処理のフェーズから、他方の構成要素に対応する処理のフェーズに移ることによって行われてもよい。
【００６８】
また、上記実施の形態において、各構成要素が実行する処理に関係する情報、例えば、各構成要素が受け付けたり、取得したり、選択したり、生成したり、送信したり、受信したりした情報や、各構成要素が処理で用いるしきい値や数式等の情報等は、上記説明で明記していない場合であっても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【００６９】
また、上記実施の形態において、各構成要素等で用いられる情報、例えば、各構成要素が処理で用いるしきい値や各種の設定値等の情報がユーザによって変更されてもよい場合には、上記説明で明記していない場合であっても、ユーザが適宜、それらの情報を変更できるようにしてもよく、あるいは、そうでなくてもよい。それらの情報をユーザが変更可能な場合には、その変更は、例えば、ユーザからの変更指示を受け付ける図示しない受付部と、その変更指示に応じて情報を変更する図示しない変更部とによって実現されてもよい。その図示しない受付部による変更指示の受け付けは、例えば、入力デバイスからの受け付けでもよく、通信回線を介して送信された情報の受信でもよく、所定の記録媒体から読み出された情報の受け付けでもよい。
【００７０】
また、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。また、そのプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【００７１】
また、このプログラムを実行するコンピュータは、単数であってもよく、複数であってもよい。すなわち、集中処理を行ってもよく、あるいは分散処理を行ってもよい。
また、本発明は、以上の実施の形態に限定されることなく、種々の変更が可能であり、それらも本発明の範囲内に包含されるものであることは言うまでもない。
【産業上の利用可能性】
【００７２】
以上より、本発明による眼圧測定装置によれば、測定された眼圧の信憑性に関する信憑情報を得ることができるという効果が得られ、眼圧を測定する眼圧測定装置として有用である。
【符号の説明】
【００７３】
１  眼圧測定装置
１１  眼圧測定部
１２  画像取得部
１３  蓄積部
１４  瞼特定部
１５  瞼判断部
１６  検出部
１７  信憑情報生成部
１８  信憑情報出力部
１９  受付部
２０  表示部
２１  処理部
３１  アライメント用光源
３６  ノズル
３９  撮像センサ
４０  測距用光源
４８  測距センサ
５０  圧平検出センサ
【図１】
0005808009.tif 000002
【図２】
0005808009.tif 000003
【図３】
0005808009.tif 000004
【図４】
0005808009.tif 000005
【図５】
0005808009.tif 000006